(57)【要約】【課題】録画再生装置の予約録画の状況をユーザーが煩雑な操作をすることなく確認できる録画情報取得システムを提供する。【解決手段】予約録画を行う録画再生装置と、録画再生装置と通信を行うリモコンとを備えた録画情報取得システムであって、録画再生装置は、予約録画を行う録画再生部と、録画再生部が行っている予約録画の録画予約情報を取得する制御部と、録画予約情報をリモコンに送信するリモコン信号送信部と、を備え、リモコンは、録画再生装置から録画予約情報を受信するリモコン信号受信部と、リモコン信号受信部で受信した録画再生装置の録画情報を表示する表示部と、を備え、録画再生装置が予約録画中にリモコンで録画予約情報を表示可能とすることにより、録画開始および録画予約情報をユーザーは何も操作せずにＲＦリモコンの表示部を見るだけで確認することができる。【選択図】図１
2011119958.tif 000002
【特許請求の範囲】
【請求項１】
予約録画を行う録画再生装置と、前記録画再生装置と通信を行うリモコンとを備えた録画情報取得システムであって、
前記録画再生装置は、
予約録画を行う録画再生部と、
前記録画再生部が行っている予約録画の録画予約情報を取得する制御部と、
前記録画予約情報を前記リモコンに送信するリモコン信号送信部と、
を備え、
前記リモコンは、
前記録画再生装置から前記録画予約情報を受信するリモコン信号受信部と、
前記リモコン信号受信部で受信した前記録画再生装置の録画情報を表示する表示部と、
を備え、
前記録画再生装置が予約録画中に前記リモコンで録画予約情報を表示可能とすることを特徴とする録画情報取得システム。
【発明の詳細な説明】
【技術分野】
【０００１】
本発明は、録画機能搭載テレビジョン受像装置およびＤＶＤレコーダなどの録画再生装置の録画情報を無線で遠隔操作制御するリモートコントローラ（以下「ＲＦリモコン」という。）で取得する録画情報取得方法に関する。
【背景技術】
【０００２】
従来、赤外線リモコンで制御される録画再生装置に録画予約をした場合、録画予約が実行されているのを確認するには、テレビの入力切替にて録画再生装置を入力ソースに選択し、録画再生装置から出力されているオンスクリーンディスプレイ（以下「ＯＳＤ」という）などをテレビ画面で確認する、もしくは録画再生装置の前面に配置されている録画実行中を示す録画ＬＥＤが点灯していることを確認する必要があった。
【先行技術文献】
【特許文献】
【０００３】
【特許文献１】特開昭５５−０３８６２８号公報
【発明の概要】
【発明が解決しようとする課題】
【０００４】
しかしながら、前記構成では、テレビ画面で確認するにはテレビと録画再生装置の両方を操作する必要があり、録画が開始されたか否かだけを知りたいユーザーにとっては操作が煩雑となってしまう。また録画再生装置の前面に配置されている録画ＬＥＤを確認するには、ユーザーが録画ＬＥＤの見える場所に移動する必要がある。ただし、この場合、録画開始の確認はできるが、所望の番組が録画できているか否かまでは確認できない。
【０００５】
本発明は、これらの課題に鑑みなされたものであり、録画再生装置の予約録画の状況をユーザーが煩雑な操作をすることなく確認できる録画情報取得システムを提供することを目的とする。
【課題を解決するための手段】
【０００６】
本発明の録画情報取得システムは、予約録画を行う録画再生装置と、録画再生装置と通信を行うリモコンとを備えた録画情報取得システムであって、録画再生装置は、予約録画を行う録画再生部と、録画再生部が行っている予約録画の録画予約情報を取得する制御部と、録画予約情報をリモコンに送信するリモコン信号送信部と、を備え、リモコンは、録画再生装置から録画予約情報を受信するリモコン信号受信部と、リモコン信号受信部で受信した録画再生装置の録画情報を表示する表示部と、を備え、録画再生装置が予約録画中にリモコンで録画予約情報を表示可能とする。
【０００７】
本構成によって、録画開始および録画予約情報をユーザーは何も操作せずにＲＦリモコンの表示部を見るだけで確認することができる。
【発明の効果】
【０００８】
本発明によれば、録画開始情報をユーザーが煩雑な操作をすることなく確認できるシステムを提供することができる。
【図面の簡単な説明】
【０００９】
【図１】本発明の実施例１における録画情報取得システムの構成を示すブロック図
【図２】本発明の実施例１における録画情報取得システムのフローチャート
【図３】本発明の実施例１におけるＲＦリモコンで録画情報を表示した図
【図４】本発明の実施例１におけるＲＦリモコンで録画完了時を表示した図
【発明を実施するための形態】
【００１０】
以下本発明を実施するための形態について、図面を参照しながら説明する。
【実施例１】
【００１１】
図１は、本発明の実施例１における録画情報取得システムの構成の一例を示すブロック図である。図１に示すように、本実施例における録画情報取得システムは、ＲＦリモコン１００、録画再生装置２００とで構成される。
【００１２】
ＲＦリモコン１００は、操作受付部１１０、ＲＦリモコン制御部１２０、ＲＦリモコン信号送受信部１３０、録画情報記憶部１４０、画像表示部１５０を有する。
【００１３】
操作受付部１１０は、一般に用いられているリモコンと同様に、０から９までの数字が記されたチャンネルボタン、チャンネルを昇順変更または降順変更するチャンネル変更ボタン、音量変更ボタン、電源ボタン等の複数のボタンを有する。そして、操作受付部１１０は、ユーザーのボタン操作およびスイッチ操作に応じた信号を発生し、ＲＦリモコン制御部１２０に送信する。
【００１４】
ＲＦリモコン制御部１２０は、操作受付部１１０において受け付けられたユーザー操作にもとづき、被制御対象である録画再生装置２００のＩＤコードを含む制御データを発生し、録画再生装置２００との間でデータの双方向通信を行うことができるように、ＲＦリモコン信号送受信部１３０、録画情報記憶部１４０を制御する。
【００１５】
ＲＦリモコン信号送受信部１３０は、例えば、２．４ＧＨｚ帯域の電波を受発信できるアンテナを有しており、このアンテナを用いて電波を受発信し、録画再生装置２００との間で上述の制御データを含むデータの送受信を行う。
【００１６】
録画情報記憶部１４０は、例えば半導体記憶素子等の、データを任意に書込み・読出しすることが可能な記憶手段を有し、録画再生装置２００から上述の制御データに含まれる録画情報データ等を記憶する。
【００１７】
画像表示部１５０は、信号処理部１５１、パネル駆動部１５２、パネル１５３を有する。パネル１５３は、例えば、液晶ディスプレイパネル（Ｌｉｑｕｉｄ  Ｃｒｙｓｔａｌ  Ｄｉｓｐｌａｙ  Ｐａｎｅｌ）、またはＥＬディスプレイパネル（Ｅｌｅｃｔｒｏ  Ｌｕｍｉｎｅｓｃｅｎｃｅ  Ｄｉｓｐｌａｙ  Ｐａｎｅｌ）等の、一般に用いられている動画像を表示可能なディスプレイデバイスにより構成されている。そして、パネル駆動部１５２によってパネル１５３が駆動されることで、録画情報記憶部１４０に記憶された録画情報データ等を表示する。
【００１８】
録画再生装置２００は、ＲＦリモコン送受信部２１０、ＲＦリモコン制御部２２０、本体制御部２３０、録画再生部２４０、映像・音声出力部２５０を有する。
【００１９】
ＲＦリモコン送受信部２１０は、例えば、２．４ＧＨｚ帯域の電波を受発信できるアンテナを有しており、このアンテナを用いてＲＦリモコン１００との間で電波を受発信してデータの送受信を行う。
【００２０】
ＲＦリモコン制御部２２０は、ＲＦリモコン１００との間でデータの双方向通信を行うように動作し、本体制御部２３０と協働しながら、ＲＦリモコン信号送受信部２１０を制御する。
【００２１】
本体制御部２３０は、一般に用いられているマイクロコンピュータ、動画再生装置２００の制御に必要な各種の情報および録画予約情報等が記憶された記憶部を有し、ユーザーからの操作等にもとづいて、動画再生装置２００に備えられた各ブロックを制御する。
【００２２】
録画再生部２４０は、信号処理部２４１、記録制御部２４２、記録部２４３を有する。信号処理部２４１は、録画再生部２４０に備えられたチューナで受信されるテレビジョン放送の信号等を信号処理し、記録部２４３に記録可能な信号にする。また、記録部２４３から取り出される信号、光ディスク再生部で光ディスクから取り出される信号等を信号処理し、テレビ等に送信するための信号にする。記録部２４３は、データを任意に書込み・読出しすることが可能な磁気ディスクを有し、動画再生装置２００に備えられたチューナで受信されるテレビジョン放送の信号等を予約録画により読出し可能に記録する。記録制御部２４２は、記録部２４３に信号が正常に記録されるように、あるいは、記録部２４３から信号が正常に読み出されるように、本体制御部２３０と協働しながら、記録部２４３を制御する。
【００２３】
映像・音声出力部２５０は、録画再生部２４０から出力された映像・音声データを表示部や他の装置に出力する。
【００２４】
次に、本実施例におけるＲＦリモコン１００と録画再生装置２００動作についてフローチャートを用いて説明する。
【００２５】
図２は、本発明の実施例１における録画情報取得システムにおいて、録画再生装置２００で録画予約されている情報をＲＦリモコン１００に送信するときのフローチャートである。
【００２６】
ユーザーによって録画予約されている録画装置２００は、録画開始時刻になると本体制御部２３０は録画予約されている番組等を録画開始するために、録画再生部２４０を制御する（ステップＳ３１１）。次に本体制御部２３０は録画再生部２４０が行っている録画予約情報を取得し、ＲＦリモコン制御部２２０に送信する。ＲＦリモコン制御部２２０は受け取った録画予約情報をＲＦリモコン信号送受信部２１０からＲＦリモコン１００のＲＦリモコン信号送受信部１３０に送信する（ステップＳ３１２）。
【００２７】
ＲＦリモコン信号送受信部１３０は録画再生装置２００から受け取った録画予約情報をＲＦリモコン制御部１２０に送る。ＲＦリモコン制御部１２０は受け取った録画予約情報から例えば番組名、録画開始時刻を録画情報記憶部１４０に記憶する（ステップＳ３２１）。次にＲＦリモコン制御部１２０は録画情報記憶部１４０に記憶した録画予約情報をパネル１５３に表示可能なフォーマットに変換して画像表示部１５０に送信する。画像表示部１５０は受け取った録画予約情報を信号処理部１５１で信号処理後にパネル駆動部１５２に送信し、パネル１５３に表示させる（ステップＳ３２２）。
【００２８】
図３は、本発明の実施例１における録画情報取得システムにおいて、録画再生装置２００で録画予約されている情報をＲＦリモコン１００のパネル１５３に表示させたときの１例である。ユーザーはＲＦリモコン１００のパネル１５３を見て、録画予約が開始されたことを簡単に知ることができる。また、録画予約情報をパネル１５３に表示するときに、ユーザーによりわかりやすくするために、ＲＦリモコン１００はブザーを内蔵し、表示すると同時にブザーを鳴らす構成でも良い。
【００２９】
録画再生装置２００は録画予約の終了時刻になったとき（ステップＳ３３１）、本体制御部２４０は録画完了情報をＲＦリモコン制御部２２０を介し、ＲＦリモコン信号送受信部２１０からＲＦリモコン１００へ送信する（ステップＳ３３２）。録画完了情報を受け取ったＲＦ送受信部１３０はＲＦリモコン制御部１２０にその情報を送り、ＲＦリモコン制御部１２０は録画完了情報を録画情報記憶部１４０に記憶する（ステップＳ３４１）。それと同時に、ＲＦリモコン制御部１２０は録画完了情報を画像表示部１５０に送る。画像表示部１５０は録画予約情報を表示させたときと同じように録画完了情報をパネル１５３に表示させる（ステップＳ３４２）。
【００３０】
図４は本発明の実施例１における録画情報取得システムにおいて、録画再生装置２００で録画予約されている番組が録画完了したときに録画完了情報をＲＦリモコン１００のパネル１５３に表示させたときの１例である。ユーザーはＲＦリモコン１００のパネル１５３を見て、録画予約が完了したことを簡単に知ることができる。また録画予約実行時にその場にいないユーザーのために、ＲＦリモコン１００は録画予約ボタンを備えており、ユーザーが録画予約ボタンを押下すると録画完了情報を表示するような構成でも良い。
【００３１】
以上示したように、本実施例によれば、録画再生装置２００で録画予約された番組の録画予約が実行されたとき、録画予約情報がＲＦリモコン１００に送信される。ＲＦリモコンは受信した録画予約情報をパネル等の画像表示部に表示する。ユーザー操作によって録画装置２００の録画完了情報を確認する場合と比較して、ユーザーの負担を大幅に軽減して行うことが可能となる。
【００３２】
なお、本発明の実施例において、録画再生装置２００にＲＦリモコン制御部２２０と本体制御部２３０とを備えた構成としたが、ＲＦリモコン制御部２２０の機能を本体制御部２３０にもたせて本体制御部２３０のみの構成としても良い。
【００３３】
なお、本発明の実施例において、ＲＦリモコン１００と録画再生装置２００にＲＦリモコン信号送受信部１３０、２１０を各々備えるとしたが、リモコンと録画再生装置に赤外線を送信するＩＲリモコン信号送信部と赤外線を受信するＩＲリモコン信号受信部を各々備えるとしても良い。この場合、ＩＲにすることにより、リモコンの消費電力の低減を図ることができる。
【産業上の利用可能性】
【００３４】
本発明は、録画再生装置に録画予約した番組が録画開始したかを煩雑な操作をすることなくＲＦリモコンのみで確認できるため、録画予約の実行確認方法として有用である。
【符号の説明】
【００３５】
１００    ＲＦリモコン
１１０    操作受付部
１２０    ＲＦリモコン制御部
１３０    ＲＦリモコン送受信部
１４０    録画情報記憶部
１５０    画像表示部
１５１    信号処理部
１５２    パネル駆動部
１５３    パネル
２００    録画再生装置
２１０    ＲＦリモコン送受信部
２２０    ＲＦリモコン制御部
２３０    本体制御部
２４０    録画再生部
２４１    信号処理部
２４２    記録制御部
２４３    記録部
２５０    映像・音声出力部
【図１】
2011119958.tif 000003
【図２】
2011119958.tif 000004
【図３】
2011119958.tif 000005
【図４】
2011119958.tif 000006